(57)【特許請求の範囲】
【請求項１】
画像データを該画像データに対して設定された処理条件と共に入力する入力手段と、該入力手段により入力された画像データを記憶する内部記憶手段と、入力された画像データに該画像データに対して設定された処理条件に応じた処理を施す処理手段とを有する画像情報処理装置において、前記入力手段の入力元の少なくとも一つとして着脱可能な記憶媒体を持つ外部記憶装置と、入力された画像データに対して設定された処理条件と前記処理手段が備える機能との整合性をチェックする処理条件チェック手段と、前記外部記憶装置から転送されてきたことを示す転送履歴情報を該当する画像データに付与する手段とを備え、該転送履歴情報が付与された画像データに対して前記処理条件チェック手段によるチェックを行うことを特徴とする画像情報処理装置。
【請求項２】
請求項１に記載された画像情報処理装置において、前記入力手段を通して入力された画像データを一覧表示する手段と、一覧表示された画像データに対してユーザが指示する画像データを前記処理手段の処理対象として選択する手段とを備え、処理対象として画像データが選択された時に、選択された画像データに設定された処理条件を前記処理条件チェック手段によりチェックすることを特徴とする画像情報処理装置。
【請求項３】
請求項１に記載された画像情報処理装置において、前記入力手段を通して入力された画像データを一覧表示する手段と、一覧表示された画像データに対してユーザが指示する画像データを前記処理手段の処理対象として選択する手段と、選択された画像データの処理を指示する手段を備え、選択された画像データの処理が指示された時に、選択された画像データに設定された処理条件を前記処理条件チェック手段によりチェックすることを特徴とする画像情報処理装置。
【請求項４】
請求項１乃至３のいずれかに記載された画像情報処理装置において、処理条件チェック手段によるチェック結果を表示する手段を備えたことを特徴とする画像情報処理装置。
【請求項５】
請求項１乃至４のいずれかに記載された画像情報処理装置において、処理条件チェック手段によるチェック結果が不整合となった処理条件を解除する手段を備えたことを特徴とする画像情報処理装置。
【請求項６】
請求項５に記載された画像情報処理装置において、処理条件を解除する場合、その旨の警告を行うとともに、ユーザにより指示される実行の指示又は処理中止の操作手段を備えたことを特徴とする画像情報処理装置。
【請求項７】
請求項５又は６に記載された画像情報処理装置において、処理条件を解除する場合、解除前の画像データを保持したまま、不整合となった処理条件を無効にする操作を施すことにより処理条件の解除を行う手段を備えたことを特徴とする画像情報処理装置。
【請求項８】
請求項１に記載された画像情報処理装置において、処理条件チェック手段によるチェック結果が不整合となった場合、不整合の生じた画像データに対する処理の実行を禁止する手段を備えたことを特徴とする画像情報処理装置。
【請求項９】
画像データを該画像データに対して設定された処理条件と共に入力する入力手段と、該入力手段により入力された画像データを記憶する内部記憶手段と、入力された画像データに該画像データに対して設定された処理条件に応じた処理を施す処理手段とを有する画像情報処理装置における処理条件チェック方法であって、入力元の少なくとも一つとして着脱可能な記憶媒体を持つ外部記憶装置を備えた入力手段により画像データを入力する工程と、入力された画像データに対して設定された処理条件と前記処理手段が備える処理機能との整合性をチェックする処理条件チェック工程と、前記外部記憶装置から転送されてきたことを示す転送履歴情報を該当する画像データに付与する工程と、を備え、
前記転送履歴情報が付与された画像データに対して前記処理条件チェック工程を実行することを特徴とする処理条件チェック方法。
【請求項１０】
請求項９に記載された処理条件チェック方法において、前記入力手段を通して入力された画像データを一覧表示する工程と、一覧表示された画像データに対してユーザが指示する画像データを前記処理手段の処理対象として選択する工程とを備え、処理対象として画像データが選択された時に、選択された画像データに設定された処理条件に対し前記処理条件チェック工程を実行することを特徴とする処理条件チェック方法。
【請求項１１】
請求項９に記載された処理条件チェック方法において、前記入力手段を通して入力された画像データを一覧表示する工程と、一覧表示された画像データに対してユーザが指示する画像データを前記処理手段の処理対象として選択する工程と、選択された画像データの処理を指示する工程を備え、選択された画像データの処理が指示された時に、選択された画像データに設定された処理条件に対し前記処理条件チェック工程を実行することを特徴とする処理条件チェック方法。
【請求項１２】
請求項９乃至１１のいずれかに記載された処理条件チェック方法において、前記処理条件チェック工程によるチェック結果を表示する工程を備えたことを特徴とする処理条件チェック方法。
【請求項１３】
請求項１０乃至１２のいずれかに記載された処理条件チェック方法において、前記処理条件チェック工程によるチェック結果が不整合となった処理条件を解除する工程を備えたことを特徴とする処理条件チェック方法。
【請求項１４】
請求項１３に記載された処理条件チェック方法において、処理条件を解除する前記工程を行う場合、その旨の警告を行うとともに、ユーザによる実行の指示又は処理中止の指示操作を受け付ける工程を備えたことを特徴とする処理条件チェック方法。
【請求項１５】
請求項１３又は１４に記載された処理条件チェック方法において、処理条件を解除する前記工程を行う場合、不整合となった処理条件を無効にする操作を施すことにより解除前の画像データを保持し得るようにする工程を実行することを特徴とする処理条件チェック方法。
【請求項１６】
請求項１１に記載された処理条件チェック方法において、前記処理条件チェック工程によるチェック結果が不整合となった場合、不整合の生じた画像データに対する処理の実行を禁止する工程を備えたことを特徴とする処理条件チェック方法。
【請求項１７】
請求項９乃至１６のいずれかに記載された処理条件チェック方法を実行するためのプログラムを記録したことを特徴とするコンピュータ読み取り可能な記録媒体。
【発明の詳細な説明】
【０００１】
【発明の属する技術分野】
本発明は、情報の処理（例えば、印刷処理）を行う画像情報処理装置に関し、より詳細には、装置に入力されてくる画像データを該画像データに設定されている処理条件に従い処理する場合、処理するマシンに処理条件が整合するかを事前にチェックできるようにした画像情報処理装置、処理条件チェック方法及び該処理条件チェック方法を実行するためのプログラムを記録した記録媒体に関する。
【０００２】
【従来の技術】
従来、デジタル複合機（複写機能の外に、プリンタ機能、電子ファイリング機能、ファクシミリ機能、等を組み合わせた複数の機能を装備したデジタル複写機）の一部の機種に、スキャナ等で読み取った原稿画像情報を内部の記憶装置に蓄積する機能を持つものがある。内部の記憶装置に蓄積された画像情報は、その後、取り出してその装置が持つ機能を用いることにより処理・出力される（例えば、コピー機能の場合、蓄積画像データを基に設定条件に従って印刷、後処理等がなされ、紙出力される）か、又は、外部記憶装置として装備された、ＣＤ−Ｒ、ＣＤ−ＲＷ、ＤＶＤ等の着脱可能な記憶媒体を持つ外部記憶装置に転送され、記憶媒体に画像情報が蓄積される。また、外部記憶装置に蓄積された画像情報は、記憶媒体の着脱により他の装置へ物理的に移動される。
内部、外部記憶装置間で転送を行う場合、転送対象の画像を選択する時等において処理の煩雑さを避けることができるので、１ジョブとして読みこまれた画像画像群をファイルとして扱うようにし、ファイル単位で画像情報の蓄積、転送処理を行うようにしている。
ファイルには、コピー機能使用時に原稿をコピーするのと同時に内部記憶装置にそのときのコピー出力条件（例えば、装置が備えた両面やステープル等の処理モード）を画像データとともに記憶しておく、という形でファイル蓄積をすることができ、ファイル単位でコピー機能使用時に指定したコピー出力条件による処理を再度、行うことが可能である。また、こうしたファイルを内部記憶装置から外部記憶装置に転送した後、外部記憶装置の着脱可能な記憶媒体を介して他のマシンに物理的に移動し、移動先の他のマシンで画像データに付加された処理モードに基づいて処理することも可能となる。
【０００３】
【発明が解決しようとする課題】
しかしながら、上記のように、画像データに付加して装置が保有するユーザースタンプ印字機能等の処理モードを指定するデータも付加されているので、ファイル作成したマシン以外でファイル印刷をしようとした場合、印刷処理に不整合が起きる可能性がある。例えば、マシンにユーザースタンプ印字等としてオリジナルデータが存在するようなモード条件が設定されているファイルを扱う場合、転送されたファイルを扱う他の印刷マシンには指定されたスタンプデータが存在しないということも発生し得る。その結果、設定された印刷条件と印刷マシンが保有する機能との間に不整合が起きてしまう。
こうした場合、従来、マシン機能を無視して設定印刷条件に従い印刷処理を実行し動作に不定状態が発生したときに印刷を中断したり、不整合を生じる処理を実行しないで（設定を解除して）処理を進めてしまうといった方法を採っており、事前に印刷条件の整合性チェックを行って、無駄に装置を動作させることを回避したり、出力ミスを行わないようにするといったことが考慮されていなかった。
本発明は、他の処理装置で設定された処理条件を付加した画像データが入力され得る画像情報処理装置における上述の従来技術の問題点に鑑みてなされたものであって、入力されてくる画像データに対して設定された処理条件が処理装置が備えた機能に整合するか否か、その整合性を事前にチェックすることにより、従来生じていた処理の失敗を未然に防止し、処理装置に無駄な動作をさせず、処理条件を解除する場合にもユーザーの意向に沿った適切な処理が行える画像情報処理装置を提供すること、また、他の処理装置で設定された処理条件を付加した画像データが入力され得る画像情報処理装置において、入力画像データに設定された処理条件が処理装置が備えた機能に整合するか否かをチェックする方法及び該方法を実行するためのプログラムを記録したコンピュータ読み取り可能な記録媒体を提供することをその目的とする。
【０００４】
【課題を解決するための手段】
請求項１の発明は、画像データを該画像データに対して設定された処理条件と共に入力する入力手段と、該入力手段により入力された画像データを記憶する内部記憶手段と、入力された画像データに該画像データに対して設定された処理条件に応じた処理を施す処理手段とを有する画像情報処理装置において、前記入力手段の入力元の少なくとも一つとして着脱可能な記憶媒体を持つ外部記憶装置と、入力された画像データに対して設定された処理条件と前記処理手段が備える機能との整合性をチェックする処理条件チェック手段と、前記外部記憶装置から転送されてきたことを示す転送履歴情報を該当する画像データに付与する手段とを備え、該転送履歴情報が付与された画像データに対して前記処理条件チェック手段によるチェックを行うことを特徴とする画像情報処理装置である。
【０００５】
請求項２の発明は、請求項１に記載された画像情報処理装置において、前記入力手段を通して入力された画像データを一覧表示する手段と、一覧表示された画像データに対してユーザが指示する画像データを前記処理手段の処理対象として選択する手段とを備え、処理対象として画像データが選択された時に、選択された画像データに設定された処理条件を前記処理条件チェック手段によりチェックすることを特徴とするものである。
【０００６】
請求項３の発明は、請求項１に記載された画像情報処理装置において、前記入力手段を通して入力された画像データを一覧表示する手段と、一覧表示された画像データに対してユーザが指示する画像データを前記処理手段の処理対象として選択する手段と、選択された画像データの処理を指示する手段を備え、選択された画像データの処理が指示された時に、選択された画像データに設定された処理条件を前記処理条件チェック手段によりチェックすることを特徴とするものである。
【０００７】
請求項４の発明は、請求項１乃至３のいずれかに記載された画像情報処理装置において、処理条件チェック手段によるチェック結果を表示する手段を備えたことを特徴とするものである。
【０００８】
請求項５の発明は、請求項１乃至４のいずれかに記載された画像情報処理装置において、処理条件チェック手段によるチェック結果が不整合となった処理条件を解除する手段を備えたことを特徴とするものである。
【０００９】
請求項６の発明は、請求項５に記載された画像情報処理装置において、処理条件を解除する場合、その旨の警告を行うとともに、ユーザにより指示される実行の指示又は処理中止の操作手段を備えたことを特徴とするものである。
【００１０】
請求項７の発明は、請求項５又は６に記載された画像情報処理装置において、処理条件を解除する場合、解除前の画像データを保持したまま、不整合となった処理条件を無効にする操作を施すことにより処理条件の解除を行う手段を備えたことを特徴とするものである。
【００１１】
請求項８の発明は、請求項１に記載された画像情報処理装置において、処理条件チェック手段によるチェック結果が不整合となった場合、不整合の生じた画像データに対する処理の実行を禁止する手段を備えたことを特徴とするものである。
【００１２】
請求項９の発明は、画像データを該画像データに対して設定された処理条件と共に入力する入力手段と、該入力手段により入力された画像データを記憶する内部記憶手段と、入力された画像データに該画像データに対して設定された処理条件に応じた処理を施す処理手段とを有する画像情報処理装置における処理条件チェック方法であって、入力元の少なくとも一つとして着脱可能な記憶媒体を持つ外部記憶装置を備えた入力手段により画像データを入力する工程と、入力された画像データに対して設定された処理条件と前記処理手段が備える処理機能との整合性をチェックする処理条件チェック工程と、前記外部記憶装置から転送されてきたことを示す転送履歴情報を該当する画像データに付与する工程と、を備え、前記転送履歴情報が付与された画像データに対して前記処理条件チェック工程を実行することを特徴とする処理条件チェック方法である。
【００１３】
請求項１０の発明は、請求項９に記載された処理条件チェック方法において、前記入力手段を通して入力された画像データを一覧表示する工程と、一覧表示された画像データに対してユーザが指示する画像データを前記処理手段の処理対象として選択する工程とを備え、処理対象として画像データが選択された時に、選択された画像データに設定された処理条件に対し前記処理条件チェック工程を実行することを特徴とする方法である。
【００１４】
請求項１１の発明は、請求項９に記載された処理条件チェック方法において、前記入力手段を通して入力された画像データを一覧表示する工程と、一覧表示された画像データに対してユーザが指示する画像データを前記処理手段の処理対象として選択する工程と、選択された画像データの処理を指示する工程を備え、選択された画像データの処理が指示された時に、選択された画像データに設定された処理条件に対し前記処理条件チェック工程を実行することを特徴とする方法である。
【００１５】
請求項１２の発明は、請求項９乃至１１のいずれかに記載された処理条件チェック方法において、前記処理条件チェック工程によるチェック結果を表示する工程を備えたことを特徴とする方法である。
【００１６】
請求項１３の発明は、請求項１０乃至１２のいずれかに記載された処理条件チェック方法において、前記処理条件チェック工程によるチェック結果が不整合となった処理条件を解除する工程を備えたことを特徴とする方法である。
【００１７】
請求項１４の発明は、請求項１３に記載された処理条件チェック方法において、処理条件を解除する前記工程を行う場合、その旨の警告を行うとともに、ユーザによる実行の指示又は処理中止の指示操作を受け付ける工程を備えたことを特徴とする方法である。
【００１８】
請求項１５の発明は、請求項１３又は１４に記載された処理条件チェック方法において、処理条件を解除する前記工程を行う場合、不整合となった処理条件を無効にする操作を施すことにより解除前の画像データを保持し得るようにする工程を実行することを特徴とする方法である。
【００１９】
請求項１６の発明は、請求項１１に記載された処理条件チェック方法において、前記処理条件チェック工程によるチェック結果が不整合となった場合、不整合の生じた画像データに対する処理の実行を禁止する工程を備えたことを特徴とする方法である。
【００２０】
請求項１７の発明は、請求項９乃至１６のいずれかに記載された処理条件チェック方法を実行するためのプログラムを記録したことを特徴とするコンピュータ読み取り可能な記録媒体である。
【００２９】
【発明の実施の形態】
本発明を添付する図面とともに示す以下の実施例に基づき説明する。ここで示す実施例は、画像情報処理装置としてデジタル複合機（複写機能の外に、ファクシミリ機能、プリンタ機能、コピーサーバー機能等の複数の機能を装備したデジタル複写機）に適用したものである。
図１は、本発明の実施例に係わるデジタル複合機の全体構成を概略図として示す。
図１を参照し、本機の装置構成、機能及び動作を、原稿の読み取り、読み取った画像データの処理、処理後のデータによる画像書き込み、という原稿のコピー動作の流れに沿って、以下に説明する。
自動原稿送り装置（以下「ＡＤＦ」と記す）１に設けた原稿台２に原稿の画像面を上にして置かれた原稿束は、ユーザにより操作部３０（図２参照）のスタートキー３４が押下されると、一番下の原稿から給送ローラ３、給送ベルト４によってコンタクトガラス６上の所定の位置に給送される。この時、一枚の原稿の給送完了毎に原稿枚数をカウントアップするカウント機能により読みとり原稿の枚数が管理される。給送されたコンタクトガラス６上の原稿は読み取りユニット５０によって画像データが読み取られ、読み取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４、排送ローラ５は搬送モータ２６（図３参照）によって駆動される。
【００３０】
書き込みユニット５７では、読み取りユニット５０にて読み取られた画像データに基づいて生成された作像データによりレーザ出力ユニット５８のレーザの発光を制御し、感光体１５にレーザ書き込みにより潜像を作る。潜像を担う感光体１５は現像ユニット２７を通過することによって潜像にトナーを付着させ、トナー像が形成される。トナー像を保持する感光体１５の回転と等速で搬送ベルト１６によって転写紙を搬送しながら、転写紙に感光体１５上のトナー像を転写する。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。転写後のトナー像を担った転写紙は、その後、定着ユニット１７にて画像を定着させ、排紙ユニット１８によって後処理装置のフィニッシャ１００に排出される。
【００３１】
後処理装置のフィニッシャ１００は、本体の排紙ユニット１８によって搬送された転写紙を、排紙トレイ１０４方向と、ステープル台１０８方向へ導く事ができる。切り替え板１０１を下に切り替える事により、搬送ローラ１０３を経由して排紙トレイ１０４側に排紙する事ができる。また、切り替え板１０１を上に切り替える事で、搬送ローラ１０５、１０７を経由して、ステープル台１０８に搬送する事ができる。ステープル台１０８に積載された転写紙は、一枚排紙されるごとに紙揃え用のジョガー１０９によって、紙端面が揃えられ、１部のコピー完了と共にステープラ１０６によって綴じられる。ステープラ１０６で綴じられた転写紙群は自重によって、ステープル完了排紙トレイ１１０に収納される。
一方、排紙トレイ１０４は転写紙搬送方向に対し直角に移動可能な排紙トレイである。この排紙トレイ１０４は、原稿毎、あるいは、ソーティングされたコピー部毎に、転写紙搬送方向に対し直角に移動し、排出されてくるコピー紙を簡易に仕分けるものである。
【００３２】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。その後、両面給紙ユニット１１１にストックされた転写紙は再び感光体１５に作像されたトナー画像を転写するために、両面給紙ユニット１１１から再給紙され、経路切り替えの為の分岐爪１１２を今度は下側にセットし、排紙トレイ１０４に導く。この様に転写紙の両面に画像を作成する場合に両面給紙ユニット１１１は使用される。
感光体１５、搬送ベルト１６、定着ユニット１７、排紙ユニット１８、現像ユニット２７はメインモータ２５（図３参照）によって駆動され、各給紙装置１１〜１３はメインモータ２５の駆動力を各々給紙クラッチ２２〜２４（図３参照）によって伝達し駆動される。縦搬送ユニット１４はメインモータ２５の駆動力を中間クラッチ２１（図３参照）によって伝達し駆動される。
【００３３】
図２は、図１の装置においてユーザが指令入力を行うために設けられた操作部３０を示す。操作部３０には、液晶タッチパネル３１、テンキー３２、クリア／ストップキー３３、スタートキー３４、予熱キー３５、リセットキー３６、初期設定キー３７、コピーキー３８、コピーサーバーキー３９、文書管理キー４０、プリンタキー４１があり、液晶タッチパネル３１には、各種機能キー、部数、機械の状態を示すメッセージなどが表示される。
初期設定キー３７を押す事で、機械の初期状態を任意にカスタマイズする事が可能である。例えば、機械が収納している用紙サイズや、コピー機能のモードクリアキーを押したときに設定される状態を任意に設定可能である。また、一定時間操作が無いときに優先して選択されるアプリケーション等を選択すること、国際エネルギースター計画に従った低電力状態への移行時間の設定や、スリープモードへの移行する時間を設定することが可能である。
コピーキー３８の押下により、コピー機能の使用が可能である。
コピーサーバーキー３９は、スキャナにより読み取った原稿画像やプリンタ機能によりホストコンピュータから出力を指示された画像の蓄積や、蓄積した画像の印刷を行なうときに使用する。
文書管理キー４０は、上記コピーサーバー機能により蓄積された画像データ及び画像情報を編集するときに使用する。文書管理機能の詳細は後述する。
【００３４】
図７は、操作部３０（図２）中の液晶タッチパネル３１の表示の一例を示す。本例は、文書管理キー４０を押下した時の表示画面を示す。この画面で、液晶タッチパネル３１に表示されたキーにユーザがタッチすることにより、選択された機能を示すキーが黒く反転する。また、機能の詳細を指定しなければならない場合（例えば文書名変更）はキーにタッチする事で詳細機能の設定画面が表示される。このように、液晶タッチパネル３１は、ドット表示器を使用している為、その時の最適な表示をグラフィカルに行う事が可能である。
【００３５】
図３はメインコントローラを中心に、このデジタル複合機の制御装置を示すブロック図である。メインコントローラ２０はデジタル複合機全体を制御する。メインコントローラ２０には、ユーザに対する液晶タッチパネル３１による表示、ユーザからのキー３２〜４１による機能設定入力制御を行う操作部３０、スキャナの制御、原稿画像を画像メモリに書き込む制御、画像メモリからの作像を行う制御等を行う画像処理ユニット（ＩＰＵ）４９、搬送モータ２６，原稿セット検知器７を有する原稿自動送り装置（ＡＤＦ）１、等の分散制御装置が接続されている。各分散制御装置とメインコントローラ２０は必要に応じて機械の状態、動作指令のやりとりを行っている。また、紙搬送等に必要なメインモータ２５、縦搬送ユニット１４、第１〜３の各給紙装置１１〜１３それぞれの伝達に必要な各種クラッチ２１〜２４も接続されている。
【００３６】
図１に戻り、原稿読み取りから、画像の書き込みまでの本実施例のデジタル複合機の動作をより詳細に説明する。この動作は、読み取りユニット５０と書き込みユニット５７での動作が中心である。
読み取りユニット５０は、原稿を載置するコンタクトガラス６と走査光学系で構成されており、走査光学系は、露光ランプ５１、第１ミラー５２、レンズ５３、ＣＣＤイメージセンサ５４等で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジと第２キャリッジとが２対１の相対速度で走行するように機械的に操作される。この走査光学系は、図示しないスキャナ駆動モータにて駆動される。原稿画像は、ＣＣＤイメージセンサ５４によって読み取られ、電気信号に変換されて処理される。
【００３７】
書き込みユニット５７はレーザ出力ユニット５８、結像レンズ５９、ミラー６０により構成され、レーザ出力ユニット５８の内部には、レーザ光源であるレーザダイオード及びモータによって高速で定速回転する多角形ミラー（ポリゴンミラー）が装備されている。
書き込みユニット５７から出力されるレーザ光が、画像作像系の感光体１５を主走査を伴い照射すると同時に、感光体１５の一端近傍の受光位置に設けたビームセンサ（図示せず）を照射することにより、主走査同期信号を発生する。この主走査同期信号をもとに主走査方向の画像記録開始タイミングの制御、および後述する画像信号の入出力を行うための制御信号の生成を行う。
【００３８】
次に、読み取りユニット５０で読み取った画像信号から、書き込みユニット５７に入力する画像データを生成するまでの本実施例における画像処理ユニット（ＩＰＵ）を中心にした画像データの処理について、詳細に説明する。
図４は画像処理ユニット（ＩＰＵ）４９の回路構成のブロック図を示す。
露光ランプ５１により照射される原稿からの反射光を、ＣＣＤイメージセンサ５４にて光電変換し、Ａ／Ｄコンバータ６１にてデジタル信号に変換する。デジタル信号に変換された画像信号は、シェーディング補正部６２にてシェーディング補正が施された後、ＭＴＦ補正、γ補正部６３にてＭＴＦ補正、γ補正が施される。次いで、変倍処理部７２を経由することにより変倍率に合せて拡大縮小された後、画像信号は、セレクタ６４に入力される。セレクタ６４では、画像信号の送り先を、書き込みγ補正ユニット７１又は画像メモリコントローラ６５のいずれかへとする切り替えが行われる。書き込みγ補正ユニット７１を経由した画像信号は作像条件に合わせて書き込みγが補正され、書き込みユニット５７に送られる。
【００３９】
画像メモリコントローラ６５とセレクタ６４間は、双方向に画像信号を入出力可能な構成となっている。また、画像メモリコントローラ６５等への各種設定、及び読み取りユニット５０や書き込みユニット５７の制御を行うＣＰＵ６８、及びそれらを実行するためのプログラムやデータを格納するＲＯＭ６９、ＲＡＭ７０、ＮＶ−ＲＡＭ７４を備えている。
更にＣＰＵ６８は、画像メモリコントローラ６５を介して、画像メモリ６６のデータの書き込み、読み出しを行い、原稿画像を画像メモリ６６やＨＤ（ハードディスク）７５或いは外部記憶装置７６に蓄積し、蓄積した画像を取り出し、画像メモリ６６とＨＤ７５或いは外部記憶装置７６との間の転送或いは書き込みユニット５７への出力動作を行う。ここでは、画像メモリコントローラ６５へ送られた原稿画像は、画像メモリコントローラ６５内にある画像圧縮装置によって画像データを圧縮した後、画像メモリ６６に送られる。画像圧縮を行う理由は、最大画像サイズ分の２５６階調のデータをそのまま画像メモリ６６に書き込む事も可能であるが、そのままでは１枚の原稿画像で画像メモリの極めて大きな容量を必要とするので、画像圧縮を行う事で、限られた画像メモリを有効に利用するためである。
【００４０】
画像圧縮を行うと一度に多くの原稿画像データを記憶することが出来るため、ソート機能として、貯えられた原稿画像イメージデータをページ順に出力する事ができる。この場合、画像を出力する際に、画像メモリ６６の圧縮されたデータを画像メモリコントローラ６５内の伸長装置で順次伸長しながら出力させる必要がある。このような機能は一般に「電子ソート」と呼ばれている。
また、画像メモリ６６の機能を利用して、複数枚の原稿画像を、画像メモリ６６の転写紙１枚分の領域を４等分したエリアに順次書き込む事も可能となる。例えば４枚の原稿画像を、画像メモリ６６の転写紙一枚分の４等分されたエリアに順次書き込む事で、４枚の原稿が一枚の転写紙イメージに合成され、集約されたコピー出力を得ることが可能となる。このような機能は一般に「集約コピー」と呼ばれている。
【００４１】
画像メモリ６６の画像はＣＰＵ６８からアクセス可能な構成となっている。この構成により画像メモリ６６に保持された画像データの内容を加工することが可能であり、例えば画像の間引き処理、画像の切り出し処理等が行える。加工には、画像メモリコントローラ６５のレジスタにデータを書き込む事で画像メモリ６６に保持された画像データの処理を行う事ができる。加工された画像は再度画像メモリ６６に保持される。
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするために、画像メモリコントローラ６５とのインターフェースにリード用とライト用の二組のアドレス・データ線を接続し得るようになされている。これによりエリア１に画像を入力（ライト）する間にエリア２より画像を出力（リード）するという動作が可能になる。
また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。
【００４２】
画像メモリ６６は、多くの画像データを収納するためＨＤ７５を別に設けることもある。ＨＤ７５を用いることにより、外部電源が不要で永久的に画像を保持できる特徴もある。複数の定型の原稿（フォーマット原稿）をスキャナで読み込み保持するためには、このＨＤ７５が用いられるのが一般的である。
また、外部の記憶媒体ＣＤ−Ｒ、ＣＤ−ＲＷ、そしてより容量の大きいDVDを着脱可能とされた外部記憶装置７６が接続可能な構成になっている。外部記憶装置７６はＳＣＳＩコントローラによってバスを制御され、画像の書き込み、読み出しを実行する。外部記憶装置７６へスキャナ画像を書き込む場合、或いは外部記憶装置７６からのデータを書き込みユニット５７に送る場合にも、出力側と入力側の処理速度の差を吸収する為に画像メモリ６６に一旦記憶される。
このように、画像を記憶する装置として備えた画像メモリ６６、ＨＤ７５、外部記憶装置７６に対する画像の入出力は、全て画像メモリコントローラ６５によって画像パスが決められる。これは、画像データの入力、出力を決めるＣＰＵ６８が画像メモリコントローラ６５を制御することによって可能となる。
【００４３】
ここで、図５を用いて、セレクタ６４において操作される１ページ分の画像信号のタイミングについて説明する。
図５において、／ＦＧＡＴＥはフレームゲート信号であり、１ページの画像データの副走査方向の有効期間を表している。／ＬＳＹＮＣは１ライン毎の主走査同期信号であり、この信号が立ち上がった後の所定クロックで、画像信号が有効となる。／ＬＧＡＴＥはラインゲート信号であり、主走査方向の画像信号が有効であることを示す信号である。これらの信号は、画素クロック（画素同期信号）ＶＣＬＫに同期しており、ＶＣＬＫの１周期に対し１画素８ビット（２５６階調）のデータが送られてくる。本実施例では、転写紙への書込密度４００ｄｐｉ、最大画素数は、主走査４８００画素、副走査６８００画素である。また本実施例では、画像データは２５５に近いほど白画像になるとする。
【００４４】
次に、本装置内の画像メモリ６６或いはＨＤ７５に蓄積された画像を外部記憶装置７６へ転送する機能及びＨＤ７５に蓄積された画像を用いた印刷機能について説明する。なお、この転送機能のために用意されるアプリケーションに関しては既知のものであるので、詳細な説明は省略する。
図６はデジタル複合機のソフトウェアシステムの構成を示す。
既存の蓄積画像を操作する機能は、図６に示すように、文書管理アプリ２１４として存在し、コピーアプリ２１１、コピーサーバーアプリ２１２、プリンタアプリ２１３と同列で起動させそれぞれが独立した動作をするものとする。共有資源である操作部、周辺機、画像形成装置、画像読み取り装置、メモリユニットの各コントローラ２２１〜２２５はシステムコントローラ２００により調停される。各アプリは独自に操作画面の描画を行うが、その画面は操作部に表示されずメモリ内部で仮想的に作成される。実際に操作部に表示されるのは一つのアプリであるから、操作部コントローラ２２１はシステムコントローラ２００からの指示によりアプリがそれぞれ作成した仮想画面の一つを操作部オーナーアプリとして実画面に展開する。また、外部記憶装置７６を設ける場合、図６内のＳＣＳＩコントローラ２３２の接続ポートに該外部記憶装置７６を接続し、該外部記憶装置７６の制御を該ＳＣＳＩコントローラ２３２にて行なう。
【００４５】
本実施例では、文書管理アプリ２１４が、本装置内の画像メモリ６６或いはＨＤ７５に蓄積された画像を外部記憶装置７６へ、又その逆の双方向に転送する動作を実行する。ここで、文書管理アプリ２１４が備える文書管理機能について説明する。
図７は文書管理アプリ２１４を動作させるための操作画面である。この画面は、図２の文書管理キー４０を押下すると、操作部３０の液晶タッチパネル３１に表示されるものである。
本例では、内部記憶手段（本実施例では画像メモリ６６或いはＨＤ７５等の機器に内蔵された記憶手段を指す、又、内部メモリーも同義である）、外部記憶装置７６に蓄積された画像データに関する各種機能が利用できる。内部蓄積文書キー１７１が黒色に反転しているのは内部記憶手段内の蓄積画像データについて各種編集操作が可能であることを示している。
また、外部蓄積文書キー１７２を押下すると液晶タッチパネル３１には図８に示す操作画面が表示される。図８が表示されている時は、外部記憶装置７６内の蓄積画像データについて各種編集操作が可能である。
【００４６】
図７に戻ると、表示領域１７７には内部記憶手段に蓄積された画像データの各画像関連情報が表示されている。画像データを特定するための画像関連情報として文書名、ユーザID、蓄積時刻、ページ数、画像データサイズが表示される。ユーザＩＤは本デジタル複合機に接続されたパーソナルコンピュータのプリンタドライバにて付けられるため、プリンタ機能による蓄積画像にのみ存在する。文書名は画像蓄積をする毎に付けられる。ページ数は蓄積した原稿画像の枚数である。蓄積時刻は画像蓄積された時の時間を表す。なおこの時の画像関連情報は不揮発メモリＮＶ−ＲＡＭ７４に保持されており、電源断時でもその画像情報は保持され続ける。表示領域１７７では８個の画像関連情報のみ表示されているが、前へキー／後へキー１７８を押下することにより、表示されていない画像情報が表示可能である。表示領域１８０のページ数とは、現在表示中の８個の画像関連情報に対する全画像関連情報リスト中の位置を表す。図７の例では全画像関連情報リストは１２ページ分あり現在表示中の８個の画像関連情報は３ページ目に位置する。表示領域１７５の各項目を押下すると表示領域１７７の画像関連情報リストが該項目に従ってソートされる。図７の例では蓄積時刻降順ソートになっている。リスト内の検索機能は、検索キー１７３を押下することにより利用可能である。
【００４７】
表示領域１７７に表示されている各画像関連情報を押下すると、図９の表示領域１９５に示すように、画像関連情報表示部分が黒色に反転し、これを選択状態と呼ぶ。複数の画像関連情報が選択状態として指定可能であり、選択文書表示キー１７４を押下すると表示領域１７７には選択状態の画像関連情報のみ表示される。
表示領域１７９は内部記憶手段の総容量及び残容量を、表示領域１８６は外部記憶装置７６の総容量及び残容量をＭＢ（メガバイト）を単位として表している。
内部記憶手段の蓄積画像に対する編集機能として、文書名変更機能、文書結合機能、文書挿入機能、ページ削除機能、文書消去機能がある。これらの諸機能は、文書編集キー１８１〜１８５を押下することにより使用可能である。
任意の画像関連情報を選択状態にして転送を指示する文書移動キー１８７を押下すると、選択状態の画像データ及び画像情報は外部記憶装置７６に蓄積される。このとき外部記憶装置７６内の蓄積画像関連情報のリストが更新され外部記憶装置７６に記憶される。外部蓄積文書キー１７２を押下すると液晶タッチパネル３１には図１０が表示されるが、該記憶操作により更新された蓄積画像関連情報のリストは図１０の表示領域１９８に表示される。
【００４８】
また、本実施例では、コピーサーバーアプリ２１２が、本装置内のＨＤ７５に蓄積されたファイルからユーザーの操作により選択されたファイルを印刷出力する動作を実行する。ここで、コピーサーバーアプリ２１２が備えるファイル印刷機能について説明する。
図１１乃至図１３はコピーサーバーアプリ２１２を用いてＨＤ７５に蓄積されたファイルを印刷するときにその操作を行うための画面である。図１１の画面は、図２のコピーサーバーキー３９を押下すると、操作部３０の液晶タッチパネル３１に表示されるものである。ＨＤ７５に蓄積されたファイルには、コピーモード、プリンタモードで保存を指示されたファイル、或いは、上記した文書管理モードで外部記憶装置７６から転送されてくるファイルが含まれる。
本例では、ＨＤ７５に蓄積された画像データの中から印刷を行う対象ファイルが選択され、選択されたファイルを用いて印刷動作を行う。このために、コピーサーバーアプリ２１２により操作されるＨＤ７５に蓄積されたファイル中に画像データとともに印刷動作に必要な印刷条件等の印刷関連情報が含まれ、管理されており、このようにしたファイルを単位としてアクセスがなされる。
図１１の画面においてファイル「Ｐｒｔ００１」を選択した場合、画面は、選択したファイルのエリアの表示を反転させた図１２に示す画面に移行する。このファイル選択を行った状態で、印刷条件が設定可能となり、又、この状態で、スタートキー３４が押されると、印刷動作が開始されるようになる。
また、図１２の画面において、「印刷条件」キーを押下すると、選択したファイルに設定されている印刷条件を表示した図１３に示す画面に移行する。図１３に示す例では、自動用紙を選択しているが、画面には、ソート、スタック、ステープル、パンチ、排紙、印字／スタンプ、表紙／合紙、編集、両面といった各種処理モードを指示するためのキーを設け、キーの選択操作により印刷条件の変更を可能としている。
【００４９】
以下に、本発明の実施例に係わるデジタル複写機における印刷条件の整合性チェックについて説明する。
上記したように、本例のデジタル複写機のコピーサーバーモードにおいては、内蔵されたＨＤ７５に蓄積されたファイルを用いて印刷を行うようにしている。ＨＤ７５には、本機によるコピーモードの動作により蓄積されたファイルだけではなく、プリンタモードで保存を指示されたファイル、或いは、上記した文書管理モードで外部メモリ７６から転送されてくるファイルが含まれる。後者の場合、外部メモリ７６においてＣＤ等の記憶媒体を交換することにより本機以外の装置により作成されたファイルが取り込まれ、こうしたファイルに対しても処理が要求されることがある。この場合、従来技術に示したように、設定されている印刷条件が装置の処理機能と不整合を起こす可能性があり、出力ミスといった不具合が起きる。
そこで、本実施例においては外部メモリ７６より転送されてくるファイル（即ち他のマシンで作成されたファイルが入力される可能性がある）に設定されている印刷条件の整合性をチェックすることにより適切な印刷処理が行われるようにしようとするものである。
ところで、外部メモリ７６から転送されてくるファイルは、多くの場合、印刷処理を目的とするものと考えられるので、文書管理モードにより外部メモリ７６からＨＤ７５にファイル転送が行われるときに整合性チェックをかけ、その結果をその後の印刷モードを利用するときの設定操作に反映させることにより、操作を容易にし、効率化させることができる。
一方、文書管理モードでは整合性チェックをかけず、文書管理モードで外部メモリ７６からファイルをＨＤ７５に転送した後、コピーサーバーモードにより印刷処理を行うための操作の過程で整合性チェックをかける方法を採ることもできる。その結果は、印刷ファイルの設定操作や印刷処理の実行に反映させることができるので、チェック処理の負担を少なくし、効率化を図ることが可能となる。
従って、印刷条件の整合性チェックは、大きく分けて、
１ ．外部メモリ７６よりＨＤ７５へのファイル転送処理の操作時（文書管理モード）
２ ．ＨＤ７５へのファイル転送後、印刷ファイル選択、印刷実行指示をする印刷操作時（コピーサーバーモード）
のどちらかのタイミングで実施する。
印刷条件の整合性チェックは、ファイルを構成するファイル情報中に設定されている印刷条件を取り出し、印刷条件をマシンの機能が充足するかを調べることにより行うので、ユーザー操作とのインターフェースを考慮し、ファイル操作を行う際のタイミングを選んで実行する。
以下の実施例において、上記１．及び２．の各々について異なるタイミングを選定して整合性チェック処理を行う場合を示す。
【００５０】
先ず、文書管理モードにおける、外部メモリ７６よりＨＤ７５へのファイル転送処理の操作時に行う場合について述べる。
第１の実施例は、ファイル転送モード処理の操作としてユーザーが転送ファイルを選択した時に行うものである。文書管理機能を用いてファイル転送をする場合、ファイルを外部メモリ７６に蓄積されているファイル一覧から選択するという操作が可能であるが、その場合を想定している。
本実施例では、外部メモリ７６に蓄積されているファイルをＨＤ７５に転送するファイルの選択時にファイル中に記憶されている印刷条件の不整合をチェックする手順を行う。以下に示す一連の手順を行った後、不整合チェックの結果が転送されるファイルに反映されることになり、転送ファイルを受け取るＨＤ７５では、そこに蓄積されたファイルを利用して実行されるコピーサーバーモードにおいて、チェック結果が反映されたファイル一覧を提示することができる。
図１４は、この整合性チェック処理手順を含むファイル転送モード処理のフローを示す。
図１４のフローにおいて、文書管理アプリを用い外部メモリ７６からＨＤ７５に文書移動が可能な操作画面（図１０参照）で、ファイル選択がなされたかを確認し（Ｓ５１）、確認後選択されたファイル中に記憶されている印刷条件を読み出す（Ｓ５２）。この後、ファイルから読み出した印刷条件について「ファイル印刷条件整合性チェック処理」を行う（Ｓ５３）。
本フローでは、この後ファイル転送モードの開始指示があったか否かをチェックし（Ｓ５４）、開始指示があったあった場合、選択、指示されたファイルの転送を行う（Ｓ５５）。転送ファイルは、画像データとファイル情報として付加された印刷条件等を保有する。転送処理後、全ファイルの転送が完了したかを確認し（Ｓ５６）、リターンする。
Ｓ５４で、ファイル転送モードの開始指示がない場合、Ｓ５３の整合チェックの結果によって、ファイル不整合モードの解除の指示、或いは、ファイル選択の変更操作を行う場合があるので、ファイル不整合モードの解除が指示されたか否かをチェックし（Ｓ５７）、解除時リターンし、解除指示がないとき、ステップＳ５１に戻り、ファイル選択の変更操作を待ち、新たに選択されたファイルについてＳ５２以降の処理を行う。
【００５１】
次に、図１５の「ファイル印刷条件整合性チェック処理（１）」のフローにより、図１４のステップＳ５３における「ファイル印刷条件整合性チェック処理」の例を詳細に説明する。
例示する「ファイル印刷条件整合性チェック処理」は、ファイル生成したマシンが有していた機能を用いて設定された印刷条件がファイル転送先のファイル印刷マシンによりサポートされない、即ち、転送先のマシンに印刷条件に設定された機能が存在しない場合に、それをチェックし、その結果に対応した手順を行うものである。例えば、ステープルユニットが装着されたマシンによって、ステープルモードを印刷条件の１つとして指定して印刷ファイルの生成が行われた後、このファイルを外部メモリを介してファイル生成を行ったマシン以外のマシンへファイル転送を行い、転送先のマシンで印刷をさせようとした場合、そのマシンにステープルユニットが装着されていなかった場合に、整合性がないとされる。図１５に示すフローでは、マシン機能として両面機能、ステープル機能を取り上げた例を示している。図１５を参照すると、このフローでは、まず、今処理を行おうとしているマシンが所有しているマシン情報を取得する処理を行う（Ｓ７１）。マシン情報の取得は、例えば、装置が有している機能を装置内のＮＶＲＡＭに記憶させておき（ＮＶＲＡＭへのデータの記憶は工場出荷時やメンテナンス時にサービスマンの操作により行うようにすることが可能である）、ＮＶＲＡＭから記憶しておいた情報を読み出すことにより取得するという方法が採用できる。このように、装置が装備する機能についての取得した情報を基にファイル中に記憶されている印刷条件をチェック（マシン機能整合性チェック）する。
「ファイル印刷条件整合性チェック処理（１）」のフローにおいては、ファイル情報に印刷条件として両面モードが設定されているか否かをチェックし（Ｓ７２）、両面モードが設定されている場合、マシン機能として両面印刷機能を装備しているか否かをチェックする（Ｓ７３）。ここで、両面印刷機能を装備している場合、さらに次の印刷条件であるステープル印刷モードのチェックを行う。なお、両面モードが設定されていない場合にも、次の印刷条件をチェックするステップに移行する。一方、両面印刷機能を装備していない場合、印刷条件として設定された両面モードを解除するとともに、両面モードが解除された旨のメッセージをユーザーに知らせるようにして、モード解除に伴う警告表示処理を行う（Ｓ７４）。
【００５２】
この後、次の印刷条件であるステープル印刷モードについて、ファイル情報に印刷条件としてステープル印刷モードが設定されているか否かをチェックし（Ｓ７５）、ステープル印刷モードが設定されている場合、マシン機能としてステープル処理機能を装備しているか否かをチェックする（Ｓ７６）。ここで、ステープル処理機能を装備している場合、リターンする。なお、ステープル印刷モードが設定されていない場合も同様にリターンする。一方、ステープル処理機能を装備していない場合、印刷条件として設定されたステープル処理モードを解除解除するとともに、ステープル処理モードが解除された旨のメッセージをユーザーに知らせるようにして、モード解除に伴う警告表示処理を行う（Ｓ２７）。
上記の処理により、印刷条件に設定された印刷モードが実行可能かをチェックでき、その結果整合していれば、そのままの印刷条件で印刷することができ、ファイル作成したマシンで印刷するのと同等の仕上がりが保証できる。
なお、印刷条件に設定した不整合を起こすモードを解除するが、この時に外部メモリ７６に蓄積されているファイル自体の印刷条件は解除されないようにする。本ジョブ実行の為にテンポラリで作成される印刷条件上でのみ該当モードが解除されるようにする。こうした解除の方法としては、不整合を起こす印刷条件のデータを削除しないで、無効なデータとして扱うような処理をしてデータ自体は保持するようにしておくといった方法を採る。このように、外部メモリ７６に蓄積されているファイル自体のファイル情報に含まれる印刷条件を削除、変更しないで、維持しておくのは、外部メモリ７６を介して、対応可能なマシン或いは元のマシンにファイルを再転送した場合、同一の仕上がりで再現できるようにするためである。
【００５３】
ここで、上記図１５のフローのステップＳ２４及びＳ２８における「モード解除に伴う警告表示処理」の詳細を図１６により説明する。
図１５のステップＳ７３及びＳ７６にて不整合になった印刷処理モードの設定を解除してファイル転送を行う場合、Ｓ７４及びＳ７７にて「モード解除に伴う警告表示処理」が行われる。これは不整合が発生したことをユーザーに知らせるとともに、転送先でこのファイルを用いた印刷処理を行った場合、同じ仕上がりが期待できないことをユーザに通知することで、処理の失敗の発生を防止することを目的として行う。
図１６の処理フローにおいて、まず、警告表示を行う（Ｓ３０）。このモード解除警告表示の例を図１７に示す。図１７に示す表示画面では、不整合が発生した旨のメッセージと、モードの設定を解除する旨の警告と、設定モード種別を表示すると共に、ユーザー操作による「確認」キーを表示する。
ユーザーが「確認」キー押下することにより、ユーザーがファイル不整合モードの設定の解除を了解したとみなし、処理を進めるようにしている。フローにおいては、Ｓ３０で警告表示を行った後、ユーザーによる「確認」キーの押下を待って（Ｓ３１）、リターンする。
上記のフローにおいて、「確認」キーの押下をして転送を行った場合、転送先のＨＤ７５に蓄積された後、利用されるときに設定が解除されており、不整合が発生したファイルであることをユーザーが認識し得るように、識別データを該当するファイルに付与する。図１８は、その識別データの利用例を示すものである。図１８において、転送先のＨＤ７５に蓄積された後、コピーサーバーモードによって、ファイル印刷が実行される場合の操作画面を示している。画面には、ファイル一覧が表示されており、転送されたファイルの中で、不整合が起きたファイル（不整合印刷条件が解除されているファイル）については、付与した識別データを用いて、例えば、表示されたファイルの文書名の先頭に星印を付加する。このマークを付加することによりユーザーに不整合を知らせることができ、ユーザーがこれを参照して指示操作を行うことができる。
【００５４】
外部メモリ７６よりＨＤ７５へのファイル転送処理の操作時に行う整合性チェックの第２の実施例ついて述べる。
上記実施例では、文書管理モードを呼び出した後、ファイルを選択し、選択したファイルに対して不整合チェックを行い、その後ファイル転送の開始指示を行うようにしたが、第２の実施例は、文書管理モードを呼び出し、ファイル選択を行った後、ファイル転送の開始指示を待って、不整合チェックを行うようにするものである。
第１の実施例では、ファイル選択時に不整合チェックを行っていたので、ファイル転送以外の処理、例えば図７の文書管理モードの操作画面において、蓄積ファイルについて「文書名変更」キー１８１や「リストから削除」キー１８５を押して文書移動以外の処理モードをする場合にも、必要のない不整合チェックを行っていた。
この実施例は、ファイル転送の開始指示を待って、不整合チェックを行うことにより、必要のない不整合チェックを行わずに、チェックが必要な転送ファイルに対してだけチェックをかけようとするものである。例えば、外部メモリ７６に蓄積されたファイルから１ファイルだけを印刷出力するといった場合、１ファイルについて転送時に整合性チェックの処理を行うだけですみ、処理負担を少なくすることができる。
本実施例の不整合チェックを含むファイル転送モード処理のフローは、「ファイル印刷条件整合性チェック処理」を行うタイミングをファイル転送の開始指示の後に行うようにするという変更が必要であるが、「ファイル印刷条件整合性チェック処理」とこれに伴って行われる「モード解除に伴う警告表示処理」の処理内容は上記第１の実施例の処理を応用することができる。
なお、ファイル転送指示時に行うチェック処理において、不整合が生じた場合に第１の実施例のようにファイル選択をやり直すということはないので、不整合モードが解除されたファイルの転送については、その中止を選択できるようにする。「モード解除に伴う警告表示処理」において、不整合が生じた場合に転送の中止ができるようにしたフローチャートの例を図１９に示す。
【００５５】
図１９の処理フローにおいて、まず、警告表示を行う（Ｓ６０）。このモード解除警告表示の例を図２０に示す。図２０に示す表示画面では、不整合が発生した旨のメッセージ、設定モード種別を表示する（図２０の例では、ステープルモードが解除された旨の警告表示が行われている）と共に、ユーザー操作によりキーとして、動作する設定を解除して転送するための「設定解除して転送」キーおよび「転送中止」キーを表示する。
ユーザーが「設定解除して転送」キー、「転送中止」キーのいずれかを押下することにより、ユーザーがその旨を了解し、処理を進めるようにしている。図１９の処理フローにおいては、Ｓ６０で警告表示を行った後、ユーザーによる「設定解除して転送」キーの押下を待って（Ｓ６１）、ファイル印刷条件から該当するファイル不整合モードの設定を解除し（Ｓ６３）、リターンする。また、「転送中止」キーについても、その押下を待って（Ｓ６２）、リターンする。なお、いずれも、リターンする前に、モード解除警告画面を消す（Ｓ６４）。
上記のフローにおいて、「設定解除して転送」キーの押下をして転送を行った場合、転送先のＨＤ７５に蓄積された後、利用されるときに設定が解除されており、不整合が発生したファイルであることをユーザーに認識させるように、識別データを該当するファイルに付与する。識別データの利用法についても、上記した第１の実施例と同様に、転送先のＨＤ７５に蓄積された後、コピーサーバーモードによって、ファイル印刷が実行される場合の操作画面に表示されたファイル一覧の文書名の先頭に星印を付加する（図１８参照）という方法で実施しうる。
【００５６】
外部メモリ７６よりＨＤ７５へのファイル転送処理の操作に伴って行う整合性チェックの第３の実施例ついて述べる。
上記各実施例では、文書管理モードの処理の過程で不整合チェックを行う例を示したが、第３の実施例は、整合性チェックを行うタイミングを文書管理モードを呼び出す以前に行われる記憶媒体装着時とする例である。これは、記憶媒体を入れ替え、新たに装着した記憶媒体に記憶されているファイルを利用する場合で、例えば、ユーザーが所有する記憶媒体を利用してファイル印刷を行う場合を想定している。
本実施例では、装着された記憶媒体に入っている全てのファイルに対してチェック処理を行う。チェックの方法は、上記実施例と基本的に同じで、ファイルに付加されている印刷条件を取り出し、印刷条件をマシンの機能が充足するかを調べることにより行うようにする。ただし、上記各実施例で不整合時に行った印刷条件として設定したモードの削除処理は、ここでは行わない。それは、文書管理モードの処理は必ずしも転送、印刷という過程で処理されるファイルだけが入力されるわけではないから、記憶媒体に入っているオリジナルデータを変更せずに保持しておく必要があるためである。
整合性チェックの結果は、不整合が発生したファイルに識別データを付与し、付与したデータにより、ファイルを使用する時に不整合をユーザーが認識できるようにする。図２１は、その識別データの利用例を示すものである。図２１に示すように、文書管理モードにおいて外部蓄積文書（外部メモリ７６に蓄積されたファイル）を指示した時に表示されるファイル一覧画面において、不整合を起こすファイルであることを表わす＊印をファイルの文書名の先頭に付け、ユーザーにチェック結果を知らせることができる。
外部メモリ７６に蓄積されたファイルの印刷を行う場合、文書管理モードで外部メモリ７６のファイル一覧画面（図２１）を呼んで印刷しようとするファイルをＨＤ７５に転送する操作を行うが、その時に希望する仕上がりで印刷されない場合があることを＊印により知ることができるので、印刷の失敗を回避することができる
【００５７】
次に、コピーサーバーモードにおける、ＨＤ７５に蓄積されたファイルの印刷操作時に行うファイル印刷条件整合性チェック処理について述べる。
この整合性チェック処理は、文書管理機能を用いて外部メモリ７６から転送されてきたファイルに不整合を起こす可能性のあるファイルがあることを想定し、そのファイルについて、コピーサーバーモードの操作としてユーザーが印刷ファイルを選択した時に整合性チェックを行うものである。
本実施例では、この手順の最初に、転送されてくるファイル中に他のマシンで生成されたファイルが含まれ、マシン機能との不整合が起きる可能性がある外部メモリ７６からＨＤ７５に転送されるファイルについて、印刷条件整合性チェックを必ず行うことができるようにする。このために、外部メモリ７６からＨＤ７５に転送されるファイルにかかる転送履歴をファイルの付加情報として記録する手順を行う。
図２２は、この手順を含む転送時の処理フローを示す。
図２２のフローにおいて、文書管理アプリによるファイル転送モード処理により、外部メモリ７６からＨＤ７５に文書移動が行われるが、その操作画面（図１０参照）でファイル転送指示が行われると（Ｓ１）、指示したファイルの画像データと共に印刷条件等のファイルへの付加情報の転送処理が行われる（Ｓ２）。上記の転送が終了すると、次にファイル転送の方向が外部メモリ７６からＨＤ７５に行われた転送であるかを調べる（Ｓ３）。外部メモリ７６からのファイル転送であれば、外部メモリ７６からのファイル転送であったことを示す転送履歴を該当ファイルのファイル情報のパラメータとして記録する（Ｓ４）。
転送履歴データは、後述するファイル印刷処理時に行うファイル印刷チェック処理フロー（図２３，２６）において、ファイル情報に付加された印刷条件の各種設定モードの整合性チェックを実行するか否かの為に使用される。
本フローでは、外部メモリ７６からのファイル転送以外は、ステップＳ４をパスし、全ての指定ファイルの転送が上記Ｓ２〜Ｓ５のステップを完了したことを確認して（Ｓ５）、フローを終了する。
【００５８】
第４の実施例として、コピーサーバーモードによるファイル印刷処理において、印刷ファイルの選択時に行うファイル印刷チェック処理について説明する。
本実施例では、ファイル印刷条件整合性チェック処理を外部メモリ７６から転送されてきたファイルに対して行うようにする。このため、上記した転送履歴（図２２の処理フローのステップＳ４でファイル情報として記録された）を持ったファイルであるかをチェックする。
図２３は印刷ファイルの選択時に行うファイル印刷チェック処理のフローを示す。
本フローは、ファイル印刷モードであることを確認することにより開始される（Ｓ１１）。ファイル印刷モードの確認は、コピーサーバーキー３９（図２参照）の押下をチェックすることによる。コピーサーバーキー３９が押下されるとファイル印刷モードが開始され、印刷の指示をするために、ＨＤ７５に蓄積されているファイルの一覧画面（図１１）を表示する。
ユーザーの操作によりファイル一覧画面からファイル印刷を行うファイルが選択されたことを確認した（Ｓ１２）後、ファイルに付加されているファイル情報（印刷条件等）を読み出す（Ｓ１３）。読み出されたファイル情報に外部メモリからの転送履歴情報が挿入されているか否かをチェックすることにより、選択されたファイルが外部メモリ７６からの転送ファイルであることを確認する（Ｓ１４）。ここで、外部メモリ７６からの転送ファイルであることを確認した場合、Ｓ１３で読み出されたファイル情報中にあるファイル印刷条件に対して「ファイル印刷条件整合性チェック処理」を行う（Ｓ１５）。「ファイル印刷条件整合性チェック処理」は、印刷ファイルが外部からの転送ファイルである場合、ファイル作成したマシンとファイル印刷するマシンが異なる可能性があるので、ファイルに設定されている印刷モードを印刷マシンがサポートできない等の不整合により、予期しない印刷ミスが発生することを回避するためである。
一方、選択ファイルが外部メモリからの転送ファイルではない、即ちファイルを作成したマシンと印刷処理を行おうとしているマシンが同一であれば、マシンと印刷条件との整合性が保たれるので、Ｓ１５の処理をスキップしてＳ１３で読み出された印刷条件をそのまま使用して処理を行うようにする。
【００５９】
図２３のステップＳ１５における「ファイル印刷条件整合性チェック処理」を説明する。
このファイル印刷条件整合性チェック処理は、ファイル生成したマシンが有していた機能を用いて設定された印刷条件がファイル転送先のファイル印刷マシンによりサポートされない、即ち、転送先のマシンに印刷条件に設定された機能が存在しない場合に、それをチェックし、対応するものである。例えば、印刷ファイル生成マシンにステープルユニットが装着されていて、ステープルモードを印刷条件の１つとして指定しファイル生成を行い、このファイルを外部メモリを介してファイル生成を行ったマシン以外のマシンへファイル転送したとき、転送先のマシンにステープルユニットが装着されていなかった場合などが考えられる。図２４のステップＳ１５における「ファイル印刷条件整合性チェック処理」のフローは先に示した第１の実施例において示した図１５のフローにより実施し得る。従って、上述の図１５の説明を参照することにして、ここでは、重複した説明はしない。
ただし、この場合に、図１５のフローにおける印刷条件に不整合がある場合（Ｓ７３−ＮＯ，Ｓ７６−ＮＯ）に行う、ステップＳ７４，７７の「モード解除に伴う警告表示処理」では、第１の実施例とは異なる処理を行う。
図２４に、本実施例のファイル印刷条件不整合時の「モード解除に伴う警告表示処理」のフローを示す。このフローでは、不整合モードが解除されたファイルの転送については、ユーザーの指示によりジョブのキャンセルができるようにする。
【００６０】
図２４のフローチャートにおいて、まず、警告表示を行う（Ｓ８０）。このモード解除警告表示の例を図２５に示す。図２５に示す表示画面では、不整合が発生した旨のメッセージ、設定モード種別を表示する（この例では、ステープルモードが解除された旨の警告表示が行われている）と共に、ユーザー操作により動作するキーとして、設定を解除して印刷を選択するための「設定解除して実行」キーおよび印刷ジョブをキャンセルする「キャンセル」キーを表示する。
ユーザーが「設定解除して実行」キー、「キャンセル」キーのいずれかを押下することにより、ユーザーがその旨を了解したことを確認して、処理を進行させるようにしている。フローにおいては、Ｓ８０で警告表示を行った後、ユーザーによる「設定解除して実行」キーの押下を待って（Ｓ８１）、ファイル印刷条件から該当するファイル不整合モードの設定を解除し（Ｓ８３）、リターンする。また、「キャンセル」キーについても、その押下を待って（Ｓ８２）、リターンする。なお、いずれも、リターンする前に、モード解除警告画面を消す（Ｓ８４）。
なお、上記で不整合モードの設定を解除するが、この時にＨＤ７５に蓄積されているファイル上では、付加されている該当モードのデータ自体は解除されないようにする。つまり、本ジョブを実行する為にテンポラリで作成される印刷条件上でのみ該当モードが解除されるようにする。こうした解除の方法としては、不整合を起こすモードの設定データを削除しないで、無効なデータとして扱うような処理をしてデータ自体は保持するようにしておくといった方法を採るようにする。このように、ＨＤ７５に蓄積されているファイルに付加された印刷条件を削除、変更しないで、維持しておくのは、外部メモリ７６を介して、対応可能なマシン或いは元のマシンにファイルを再転送し、印刷を行う場合、同一の仕上がりが再現できるようにするためである。
【００６１】
次に、第５の実施例として、コピーサーバーモードによるファイル印刷処理において、印刷ファイルの選択後、印刷指示時に行うファイル印刷チェック処理の手順について説明する。
本実施例においても、ファイル印刷条件整合性チェック処理は、外部メモリ７６からファイル転送されたファイルに対して行うようにする。このため、転送履歴（図２２の処理フローのステップＳ４でファイル情報として記録された）を持つかをチェックし、該当する転送ファイルを確認して整合性チェックを行う。
図２６はファイル印刷指示時のファイル印刷チェック処理のフローを示す。
本フローは、ファイル印刷モードであることを確認することにより開始される（Ｓ１１１）。ファイル印刷モードの確認は、コピーサーバーキー３９（図２参照）の押下をチェックすることによる。コピーサーバーキー３９が押下されるとファイル印刷モードが開始され、印刷の指示をするために、ＨＤ７５に蓄積されているファイルの一覧画面（図１１）を表示する。
ユーザーの操作によりファイル一覧画面に表示されたファイルからファイル印刷を行うファイルが選択されたことを確認した（Ｓ１１２）後、ファイル印刷の為にファイルに記憶されているファイル情報（印刷条件等）を読み出す（Ｓ１１３）。
ここで、印刷開始指示の有無をチェックし（Ｓ１１４）、印刷開始指示がない場合、Ｓ１１２のステップに戻す。また、Ｓ１１４で印刷開始指示があった場合、Ｓ１１３で読み出されたファイル情報に外部メモリからの転送履歴情報が挿入されているか否かをチェックする（Ｓ１１５）。選択されたファイルが外部メモリ７６からの転送ファイルであることを確認した場合、Ｓ１１３で読み出されたファイル情報中にあるファイル印刷条件に対して「ファイル印刷条件整合性チェック処理」を行う（Ｓ１１６）。「ファイル印刷条件整合性チェック処理」は、印刷ファイルが外部からの転送ファイルである場合、ファイル作成したマシンとファイル印刷するマシンが異なるので、ファイルに設定されている印刷条件も印刷モードを印刷マシンがサポートしていない等の不整合が発生する可能性があるために行う。
一方、選択ファイルが外部メモリからの転送ファイルではない、即ちファイルを作成したマシンと印刷処理を行おうとしているマシンが同一であれば、マシンと印刷条件との整合性が保たれるので、Ｓ１１６の処理をスキップしてＳ１１３で読み出された印刷条件をそのまま使用して処理を行うようにする。
【００６２】
図２６のステップＳ１１６における「ファイル印刷条件整合性チェック処理」を説明する。
このファイル印刷条件整合性チェック処理は、ファイル生成したマシンが有していた機能を用いて設定された印刷条件がファイル転送先のファイル印刷マシンによりサポートされない、即ち、転送先のマシンに印刷条件に設定された機能が存在しない場合に、それをチェックし、対応するものである。
本実施例では、ファイル印刷指示時に整合性チェック処理を行うようにしているので、チェック結果に対して、ユーザーによる設定の変更操作が不可能である場合に、ユーザーが印刷の実行／中止を選択する手順を設けるようにしている。図２７は、本実施例の「ファイル印刷条件整合性チェック処理（２）」のフローを示す。
図２７を参照すると、この整合性チェック処理のフローでは、まず、印刷中止フラグをリセットする（Ｓ１９）。印刷中止フラグ＝RESETとするのは、このフローの処理結果として行われる印刷中止フラグの操作を初期化するためである。次いで、本機が所有しているマシン情報を取得する処理を行う（Ｓ２０）。マシン情報にはマシンが装備する機能についてのデータが含まれており、ここで取得した情報を基にファイルに付加された設定印刷条件をチェックする。
本実施例のフローにおいては、ファイルに印刷条件として両面モードが設定されているか否かをチェックし（Ｓ２１）、両面モードが設定されている場合、マシン機能として両面印刷機能を装備しているか否かをチェックする（Ｓ２２）。ここで、両面印刷機能を装備していない場合、「モード解除に伴う警告表示処理」（後記で詳述）を行う（Ｓ２３）。Ｓ２４の処理で印刷中止のフラグ操作が行われる場合があるので、この処理後に、印刷中止フラグのセットをチェックする（Ｓ２４）。
印刷中止フラグがリセットのままである場合（Ｓ２１で両面モードが設定されていない場合、Ｓ２２で整合性ありの場合を含め）、さらに次の印刷条件であるステープル印刷モードのチェックを行う。
【００６３】
ステープル印刷モードについて、ファイル情報に印刷条件としてステープル印刷モードが設定されているか否かをチェックし（Ｓ２５）、ステープル印刷モードが設定されている場合、マシン機能としてステープル機能を装備しているか否かをチェックする（Ｓ２６）。ここで、ステープル機能を装備していない場合、「モード解除に伴う警告表示処理」（後記で詳述）を行う（Ｓ２７）。Ｓ２７の処理で印刷中止のフラグ操作が行われる場合があるので、この処理後に、印刷中止フラグのセットをチェックする（Ｓ２８）。
印刷中止フラグがリセットのままである場合（Ｓ２５でステープル印刷モードが設定されていない場合、Ｓ２６で整合性ありの場合を含め）、ファイル印刷を実行し（Ｓ２９）、リターンする。
一方、Ｓ２３及びＳ２８で印刷中止フラグがセットされている場合、ファイル印刷を実行せず、印刷を中止する。
【００６４】
ここで、上記図２７のフローチャートにおけるステップＳ２３及びＳ２７における「モード解除に伴う警告表示処理」の詳細を図２８により説明する。
図２７のステップＳ２２及びＳ２６にて不整合になった印刷処理モードの設定を解除してファイル印刷を行う場合、ユーザにその旨の警告をするとともに印刷中止をユーザが選択できるようにする。
図２８を参照すると、このフローでは、先ず、警告画面表示を行う（Ｓ４０）。このモード解除警告画面表示の例を図２９に示す。図２９に示す表示画面では、不整合が発生し、設定印刷モードを解除する旨のメッセージ、設定モード種別を表示する（図２９の例では、ステープルモードが解除された旨の警告表示が行われている）と共に、ユーザーが操作可能な「印刷中止」キー、「設定解除して実行」キーを表示する。
ユーザーが「印刷中止」キーか「設定解除して実行」キーのいずれかを押下することにより、ユーザーにより選択された中止或いは実行の処理を進めるようにする。
本フローにおいては、Ｓ４０で警告画面表示を行った後、ユーザーによって「設定解除して実行」キーが押下されたか否かをチェックし（Ｓ４１）、キーが押下された場合、ファイル印刷条件から該当する不整合設定モードを解除する（Ｓ４４）。
一方、「設定解除して実行」キーが押下されない場合、「印刷中止」キーが押下されたか否かをチェックし（Ｓ４２）キーの押下を確認して、印刷を中止するために、印刷中止フラグをセットする（Ｓ４３）。この後、リターンする前にモード解除警告画面を消去する（Ｓ４５）。
なお、この実施例では、印刷指示時に行う印刷条件整合性チェック処理において、不整合が生じた場合、設定解除して実行することができるような方法を採ったが、不整合を起こす場合には、無条件に印刷の実行を禁止する方法を採ることができる。不整合を起こす場合、無条件に印刷の実行を禁止すれば、完全に印刷ミスを防止することができる。印刷を禁止する方法は、例えば、図２７の「ファイル印刷条件整合性チェック処理（２）」におけるステップＳ２２，２６で、設定されたモードがマシンになく印刷条件に不整合が起きると判断された場合（Ｓ２２−ＮＯ，Ｓ２６−ＮＯ）に、直ちに印刷中止フラグをセットするステップを実行する（つまり、図２７のステップＳ２３，Ｓ２７に代えて印刷中止フラグをセットする）ことにより実施することができる。また、この時不整合により印刷が実行できない旨の警告表示を行うと良い。
【００６５】
また、本発明においては、デジタル複合機における画像情報を処理するコントローラに上記した印刷条件の整合性をチェックし、その結果をユーザに知らせ、不整合が起きた印刷モードを解除或いは印刷中止の処理を行うようにした印刷条件整合性チェック方法を実行するための手順を記述した処理プログラムを装備し、装備したプログラムを用いることにより目的とする機能を実現することができる。このプログラムは、周知のコンピュータ読み取り可能な記録媒体に記録され、適用されるコントローラにインストールされ、記憶媒体から読み出されたプログラムにより画像情報の処理が実行される。
【００６６】
【発明の効果】
（１）  請求項１，９の発明に対応する効果
入力手段の入力元の少なくとも一つとして着脱可能な記憶媒体を持つ外部記憶装置を備えた画像情報処理装置において、入力手段を通して入力された画像データを該画像データに設定された処理条件に応じ処理するときに、設定された処理条件と処理を実行する処理手段が備える処理機能との整合性を調べる処理条件の整合性チェックを行うことにより、入力されたファイルが他のマシンで生成されたファイルであることが事前に認識可能となるので、従来起きた処理の失敗を未然に防止し、装置に無駄な動作をさせず、正しい処理を行うことが可能となる。
また、外部記憶装置からの転送履歴情報が付与された画像データに対してのみ前記処理条件チェックを実行するようにしたことにより、チェックが必要な画像データに絞ってチェックをかけるので、チェック処理の負担が少なく、効率的なチェック処理を行うことが可能となる。
（２）  請求項２，１０の発明に対応する効果
上記（１）の効果に加えて、外部記憶装置から転送されてきた画像データが含まれる内部記憶装置に蓄積された画像データを利用する処理（印刷）モードにおいて、ユーザーが処理を求める画像データを選択した時に、選択した画像データに対し整合性チェックを実行するようにしたことにより、チェックが必要な画像データに対し漏れのないチェック処理を行うことが可能となる。
（３）  請求項３，１１の発明に対応する効果
上記（１）の効果に加えて、外部記憶装置から転送されてきた画像データが含まれる内部記憶装置に蓄積された画像データを利用する処理（印刷）モードにおいて、ユーザーが処理を求める画像データを選択した後、処理指示を行った時に、選択された画像データに対し整合性チェックを実行するようにしたことにより、処理指示を行った画像データに絞ってチェックをかけるので、チェック処理の負担が少なく、効率的で、チェックが必要な画像データに対し漏れのないチェック処理を行うことが可能となる。
（４）  請求項４，１２の発明に対応する効果
上記（１）〜（３）の効果に加えて、チェック結果が不整合となったファイルを認識可能に表示するようにしたことにより、ユーザーにファイル選択、或いは設定の見直しを指示することが可能となる。
【００６７】
（５）  請求項５，１３の発明に対応する効果
上記（１）〜（４）の効果に加えて、チェック結果が不整合となった処理条件を解除して処理を実行するようにしたことにより、処理条件を解除しても処理が実行されることを期待しているユーザー、或いは処理条件に拘らないユーザーの要求に応えることが可能となる。
（６）  請求項６，１４の発明に対応する効果
上記（５）の効果に加えて、処理条件を解除して処理を実行する場合、その旨の警告を行い、ユーザーの指示により処理を実行又は中止させるようにしたことにより、処理条件を解除して処理が実行される場合に、処理の実行又は中止をユーザーが選択できるので、ユーザーの意向が反映され、利便性を高めることが可能となる。
（７）  請求項７，１５の発明に対応する効果
上記（５）、（６）の効果に加えて、解除前の画像データを保持したまま、不整合となった処理条件を無効にする操作を施すことにより処理条件の解除を行うことにより、この後ファイルを再転送した場合にも解除前の画像データを利用することができるので、転送先が対応可能な外部メディア、マシン等を備えているか、或いは元のマシンであれば、同一の仕上がりの処理を行うことが可能となる。
【００６８】
（８）  請求項８，１６の発明に対応する効果
上記（１）の効果に加えて、チェック結果が不整合となった場合、不整合の生じたファイル処理の実行を禁止するようにしたことにより、処理の失敗を完全に防止することができる。
（９）  請求項１７の発明に対応する効果
適用する画像情報処理装置における情報を処理するコントローラに本発明の記録媒体に記録されたプログラムをインストールすることにより、請求項９〜１６の発明に関わる動作を容易に実行することが可能となる。
【図面の簡単な説明】
【図１】  本発明の実施例に係わるデジタル複合機の全体構成を概略図として示す。
【図２】  図１のデジタル複合機の操作部の１例を示す。
【図３】  本実施例のデジタル複合機の制御装置のブロック図を示す。
【図４】  画像処理ユニット（ＩＰＵ）の回路構成のブロック図を示す。
【図５】  セレクタにおいて操作される１ページ分の画像信号のタイミングを示す。
【図６】  本実施例のデジタル複合機のソフトウェアシステムの構成を示す。
【図７】  文書管理アプリを動作させるための操作画面の１例を示す。
【図８】  外部蓄積文書を操作する時の画面の１例を示す。
【図９】  内部蓄積文書のファイル選択操作時の画面の１例を示す。
【図１０】  外部蓄積文書を操作する時の画面の１例を示す。
【図１１】  コピーサーバーアプリを動作させるための操作画面の１例を示す。
【図１２】  図１１でファイル選択をしたときに移行する画面を示す。
【図１３】  図１２で印刷条件キーを押したときに移行する画面を示す。
【図１４】  「ファイル印刷条件整合性チェック処理」ステップを含む「ファイル転送モード処理」のフローを示す。
【図１５】  図１４，図２３の「ファイル印刷条件整合性チェック処理」の詳細フローの１例を示す。
【図１６】  図１５における「モード解除に伴う警告表示処理」のフローを示す。
【図１７】  不整合時にモード設定を解除するときの警告表示の１例を示す。
【図１８】  不整合発生ファイルに識別マークを付したコピーサーバーアプリの操作画面の１例を示す。
【図１９】  「モード解除に伴う警告表示処理」のフローを示す。
【図２０】  不整合時にモード設定を解除して転送或いは転送中止するときの警告表示の１例を示す。
【図２１】  不整合発生ファイルに識別マークを付した文書管理アプリの外部蓄積文書操作画面の１例を示す。
【図２２】  ファイル情報に転送履歴を記録するステップを含むファイル転送のフローを示す。
【図２３】  「ファイル印刷条件整合性チェック処理」ステップを含む「ファイル印刷チェック処理」のフローを示す。
【図２４】  図２３の「ファイル印刷条件整合性チェック処理」における「モード解除に伴う警告表示処理」のフローを示す。
【図２５】  不整合時にモード設定を解除して実行或いは印刷中止するときの警告表示の１例を示す。
【図２６】  「ファイル印刷条件整合性チェック処理」ステップを含む「ファイル印刷チェック処理」の他のフローを示す。
【図２７】  図２６の「ファイル印刷条件整合性チェック処理」の詳細フローの１例を示す。
【図２８】  図２７における「モード解除に伴う警告表示処理」のフローを示す。
【図２９】  不整合時にモード設定を解除して印刷或いは印刷中止するときの警告表示の１例を示す。
【符号の説明】
１…自動原稿送り装置（ＡＤＦ）、     ２…原稿台、
６…コンタクトガラス、            １５…感光体、
１７…定着ユニット、                ２７…現像ユニット、
３０…操作部、                      ３１…液晶タッチパネル
３９…コピーサーバーキー、          ４０…文書管理キー、
５０…読み取りユニット、            ５１…露光ランプ、
５４…ＣＣＤイメージセンサ、        ５７…書き込みユニット、
５８…レーザ出力ユニット、          ６８… ＣＰＵ、
６５…画像メモリコントローラ、      ６６…画像メモリ、
７５…ＨＤ、                        ７６…外部画像記憶装置、
１７１…内部蓄積文書キー、          １７２…外部蓄積文書キー、
１８７…文書移動キー、              ２１２…コピーサーバーアプリ、
２１４…文書管理アプリ。
【図１】
0003941907.tif 000002
【図２】
0003941907.tif 000003
【図３】
0003941907.tif 000004
【図４】
0003941907.tif 000005
【図５】
0003941907.tif 000006
【図６】
0003941907.tif 000007
【図７】
0003941907.tif 000008
【図８】
0003941907.tif 000009
【図９】
0003941907.tif 000010
【図１０】
0003941907.tif 000011
【図１１】
0003941907.tif 000012
【図１２】
0003941907.tif 000013
【図１３】
0003941907.tif 000014
【図１４】
0003941907.tif 000015
【図１５】
0003941907.tif 000016
【図１６】
0003941907.tif 000017
【図１７】
0003941907.tif 000018
【図１８】
0003941907.tif 000019
【図１９】
0003941907.tif 000020
【図２０】
0003941907.tif 000021
【図２１】
0003941907.tif 000022
【図２２】
0003941907.tif 000023
【図２３】
0003941907.tif 000024
【図２４】
0003941907.tif 000025
【図２５】
0003941907.tif 000026
【図２６】
0003941907.tif 000027
【図２７】
0003941907.tif 000028
【図２８】
0003941907.tif 000029
【図２９】
0003941907.tif 000030